(57)【要約】【課題】毛髪の性質に合わせて過熱蒸気を供給して、良好な毛髪のセットを行うこと。【解決手段】第１の毛髪挟持面５を有する第１の挟持部１と、第２の毛髪挟持面６を有する第２の挟持部２と、を有し、前記第１の毛髪挟持面５と第２の毛髪挟持面６とで毛髪を挟持するように構成され、前記第１の毛髪挟持面５または第２の毛髪挟持面６のうち少なくとも一方には、前記挟持された毛髪を加熱する加熱部を備えたヘアアイロンにおいて、前記第１の挟持部１または第２の挟持部２のうち少なくとも一方には、液体を加熱して蒸気を生成し、生成された前記蒸気をさらに加熱して過熱蒸気を生成する過熱蒸気生成部１１と、生成された過熱蒸気を前記挟持された毛髪に向けて放出する放出口１９と、を備えたことにより、使用者の毛髪の状態にかかわらず、過熱蒸気により使用者が所望する形状に毛髪をセットすることができる。【選択図】図１
2014097214.tif 000002
【特許請求の範囲】
【請求項１】
第１の毛髪挟持面を有する第１の挟持部と、第２の毛髪挟持面を有する第２の挟持部と、を有し、前記第１の毛髪挟持面と第２の毛髪挟持面とで毛髪を挟持するように構成され、前記第１の毛髪挟持面または第２の毛髪挟持面のうち少なくとも一方には、前記挟持された毛髪を加熱する加熱部を備えたヘアアイロンにおいて、前記第１の挟持部または第２の挟持部のうち少なくとも一方には、液体を加熱して蒸気を生成し、生成された前記蒸気をさらに加熱して過熱蒸気を生成する過熱蒸気生成部と、生成された過熱蒸気を前記挟持された毛髪に向けて放出する放出口と、を備えたことを特徴とするヘアアイロン。
【請求項２】
前記加熱部の温度と前記過熱蒸気生成部で生成される過熱蒸気の生成量とを制御する制御部と、前記挟持された毛髪の太さを検知する第１の検知部と、を備え、前記制御部は、前記第１の検知部により検知された毛髪の太さに応じて、前記加熱部の温度または過熱蒸気生成部で生成される過熱蒸気の生成量のうち少なくとも一方を変更するように制御する、ことを特徴とする請求項１記載のヘアアイロン。
【請求項３】
前記制御部は、前記第１の検知部により検知された毛髪の太さが所定の値以下の際に、前記過熱蒸気生成部で生成される過熱蒸気の生成量を減少させるように制御する、ことを特徴とする請求項２記載のヘアアイロン。
【請求項４】
前記制御部は、前記第１の検知部により検知された毛髪の太さが所定の値以下の際に、前記加熱部の温度を上昇させるように制御する、ことを特徴とする請求項２または３記載のヘアアイロン。
【請求項５】
毛髪の曲がり度合いを検知する第２の検知部を備え、前記制御部は、前記第２の検知部により検知された毛髪の曲がり度合いに応じて、前記過熱蒸気生成部で生成される過熱蒸気の温度を変更するように制御する、ことを特徴とする請求項２から４のいずれか１項に記載のヘアアイロン。
【請求項６】
前記制御部は、前記第２の検知部により検知された毛髪の曲がり度合いが所定の値以上の際に、前記過熱蒸気生成部で生成される過熱蒸気の温度を上昇させるように制御する、ことを特徴とする請求項５記載のヘアアイロン。
【請求項７】
前記制御部は、前記ヘアアイロンの運転が開始された際に、最初に前記第２の検知部により検知された毛髪の曲がり度合いに応じて、前記過熱蒸気生成部で生成される過熱蒸気の温度を所定の温度に設定するように制御する、ことを特徴とする請求項５記載のヘアアイロン。
【発明の詳細な説明】
【技術分野】
【０００１】
本発明は、毛髪をストレートやカール等の形状にセットを行う、ヘアアイロンに関するものである。
【背景技術】
【０００２】
従来、この種のヘアアイロンは、それぞれ毛髪挟持面が設けられた一対の挟持部を有しており、上記一対の挟持部の一方の毛髪挟持面には、毛髪挟持面に挟持された毛髪を加熱する加熱部が設けられている。
【０００３】
また、加熱部が設けられた側の挟持部には、貯留容器に貯留された液体を、上記加熱部の熱により加熱して蒸気を生成し、生成された蒸気を、上記加熱部に形成された開口から毛髪挟持面に挟持された毛髪に向けて放出する、蒸気放出機構を備えている。
【０００４】
さらに、上記貯留容器の内部圧力を変化させることにより、貯留容器から上記蒸気放出機構に供給される液体量を制御することで、放出される蒸気量を変更可能としている（例えば、特許文献１参照）。
【先行技術文献】
【特許文献】
【０００５】
【特許文献１】特表２０１１−５０２７２０号公報
【発明の概要】
【発明が解決しようとする課題】
【０００６】
しかしながら、前記従来の構成では、毛髪に供給されるのは温度が約１００℃の蒸気であるため、毛髪の水素結合を切断して、毛髪のセットを行うための熱エネルギーとしては低いものであり、使用者の毛髪の状態によっては、使用者が所望する形状に毛髪のセットを行うことが困難になるという課題があった。
【０００７】
本発明は、前記従来の課題を解決するもので、使用者の毛髪の状態にかかわらず、過熱蒸気により使用者が所望する形状に、容易に毛髪をセットすることが可能なヘアアイロンを提供することを目的とする。
【課題を解決するための手段】
【０００８】
前記従来の課題を解決するために、本発明のヘアアイロンは、第１の毛髪挟持面を有する第１の挟持部と、第２の毛髪挟持面を有する第２の挟持部とを有しており、前記第１の毛髪挟持面と第２の毛髪挟持面とで毛髪を挟持するように構成され、前記第１の毛髪挟持面または第２の毛髪挟持面のうち少なくとも一方には、前記挟持された毛髪を加熱する加熱部を備えている。
【０００９】
そして、前記第１の挟持部または第２の挟持部のうち少なくとも一方には、液体を加熱して蒸気を生成し、生成された前記蒸気をさらに加熱して過熱蒸気を生成する過熱蒸気生成部と、生成された過熱蒸気を前記挟持された毛髪に向けて放出する放出口とを備えたものである。
【００１０】
これによって、蒸気より温度が高い過熱蒸気を毛髪に供給することで、毛髪の水素結合を確実に切断することが可能となる。
【発明の効果】
【００１１】
本発明のヘアアイロンは、使用者の毛髪の状態にかかわらず、過熱蒸気により、使用者が所望する形状に毛髪をセットすることができる。
【図面の簡単な説明】
【００１２】
【図１】本発明の実施の形態１におけるヘアアイロンの概略斜視図
【図２】同ヘアアイロンの内部構造を示す概略図
【図３】同ヘアアイロンの液体貯留部の着脱構造を示す要部拡大概略図
【図４】同ヘアアイロンの液体貯留部の概略図
【図５】同ヘアアイロンの過熱蒸気生成部の概略斜視図
【図６】同ヘアアイロンの過熱蒸気生成部の概略端面図
【図７】同ヘアアイロンの加熱面および過熱蒸気の放出口を示す概略平面図
【図８】同ヘアアイロンの過熱蒸気生成部の内部構造を示す概略図
【図９】本発明の実施の形態２におけるヘアアイロンの過熱蒸気生成部の概略斜視図
【図１０】同ヘアアイロンの液体貯留部の概略図
【図１１】（ａ）同ヘアアイロンの過熱蒸気生成部の長い方の蒸気流路の流れを示す概略図（ｂ）同ヘアアイロンの過熱蒸気生成部の短い方の蒸気流路の流れを示す概略図
【図１２】同ヘアアイロンの毛髪のカール半径の算出方法を示す概略図
【図１３】（ａ）同ヘアアイロンの過熱蒸気生成部の長い方の蒸気流路の流れの変形例を示す概略図（ｂ）同ヘアアイロンの過熱蒸気生成部の短い方の蒸気流路の流れの変形例を示す概略図
【発明を実施するための形態】
【００１３】
第１の発明は、第１の毛髪挟持面を有する第１の挟持部と、第２の毛髪挟持面を有する第２の挟持部とを有しており、前記第１の毛髪挟持面と第２の毛髪挟持面とで毛髪を挟持するように構成され、前記第１の毛髪挟持面または第２の毛髪挟持面のうち少なくとも一方には、前記挟持された毛髪を加熱する加熱部を備えている。
【００１４】
そして、前記第１の挟持部または第２の挟持部のうち少なくとも一方には、液体を加熱して蒸気を生成し、生成された前記蒸気をさらに加熱して過熱蒸気を生成する過熱蒸気生成部と、生成された過熱蒸気を前記挟持された毛髪に向けて放出する放出口とを備えたものである。
【００１５】
これにより、蒸気より温度が高い過熱蒸気を毛髪に供給することで、毛髪の水素結合を確実に切断することが可能となるため、使用者の毛髪の状態にかかわらず、過熱蒸気により、使用者が所望する形状に毛髪をセットすることができる。
【００１６】
第２の発明は、前記加熱部の温度と前記過熱蒸気生成部で生成される過熱蒸気の生成量とを制御する制御部と、前記挟持された毛髪の太さを検知する第１の検知部と、を備え、前記制御部は、前記第１の検知部により検知された毛髪の太さに応じて、前記加熱部の温度または過熱蒸気生成部で生成される過熱蒸気の生成量のうち少なくとも一方を変更するように制御するようにしている。
【００１７】
ここで、毛髪に過剰な過熱蒸気が供給された場合は、毛髪のセットの完了後、上記毛髪挟持面外に毛髪が送出された際に、毛髪に多量の過熱蒸気が残留しており、左記残留した過熱蒸気が外部の空気により冷却されることで、速やかに凝縮されて液体に変化するために、毛髪に液体が付着した状態となってしまう。
【００１８】
このため、上記毛髪に付着した液体が、セット後の毛髪の水素結合を再度切断してしまうことで、セット力、即ちストレートやカール等の形状の度合いが低下してしまい、セッ
トされた毛髪の形状を長時間維持することが困難となってしまう。
【００１９】
本発明によって、毛髪の太さに応じて、最適な量の過熱蒸気を供給することができるため、毛髪のセットの完了後、毛髪に液体が付着した状態とならないことから、使用者が所望する形状に毛髪をセットできるとともに、セット後の毛髪の形状を長時間維持することができる。
【００２０】
また、一般的に、毛髪は太さによって構造が異なり、例えば、毛髪が細いとその内部構造は緻密になり、変形がしにくくなるが、熱には強いという特徴を有している。
【００２１】
よって、毛髪の太さに応じて最適な温度で毛髪を過熱することで、毛髪を傷めることなく、使用者が所望する形状に、容易に毛髪をセットすることができる。
【００２２】
第３の発明は、特に第２の発明制御部は、前記第１の検知部により検知された毛髪の太さが所定の値以下の際に、前記過熱蒸気生成部で生成される過熱蒸気の生成量を減少させるように制御している。
【００２３】
これにより、特に使用者の毛髪が細い場合に、毛髪に供給される過熱蒸気の量を減少させることで、毛髪に最適な量の過熱蒸気を供給するとともに、毛髪のセット完了後に残留する液体によって、毛髪の水素結合が再度切断されることを抑制して、セットされた毛髪の形状を長時間維持することができる。
【００２４】
第４の発明は、特に第２もしくは第３の発明の制御部は、前記第１の検知部により検知された毛髪の太さが所定の値以下の際に、前記加熱部の温度を上昇させるように制御している。
【００２５】
ここで、一般的に、毛髪は、加熱部の温度が高いほどセットを容易に行うことができる反面、損傷しやすく、また、細い毛髪は内部が緻密であり熱に強く、一方、太い毛髪は内部が疎であり、熱に弱いという特性を持っている。
【００２６】
よって、特に使用者の毛髪が細い場合に、毛髪を加熱する温度を高くすることで、熱による毛髪の損傷を抑制しつつ、使用者が所望する形状に、容易に毛髪をセットすることができる。
【００２７】
第５の発明は、毛髪の曲がり度合いを検知する第２の検知部を備えた上で、特に第２から第４の発明の制御部は、前記第２の検知部により検知された毛髪の曲がり度合いに応じて、前記過熱蒸気生成部で生成される過熱蒸気の温度を変更するように制御している。
【００２８】
これにより、毛髪の曲がり度合いに応じた温度の過熱蒸気を毛髪に供給することができるために、より確実に毛髪の水素結合を切断して、使用者が所望する形状に、容易に毛髪をセットすることができる。
【００２９】
第６の発明は、特に第５の発明の制御部は、前記第２の検知部により検知された毛髪の曲がり度合いが所定の値以上の際に、前記過熱蒸気生成部で生成される過熱蒸気の温度を上昇させるように制御している。
【００３０】
これにより、より高いエネルギーをもった過熱蒸気を毛髪に供給することができるため、過熱蒸気を毛髪の内部まで十分に供給することが可能となる。
【００３１】
よって、特に、曲がり度合いの大きい、即ちセットし難い毛髪に対しては、高い温度の
過熱蒸気を供給することで、より確実に水素結合を切断することができることから、使用者が所望する形状に、毛髪をセットすることが極めて容易となる。
【００３２】
また、特に、曲がり度合いの小さい、即ちセットし易い毛髪に対しては、過熱蒸気の温度を低下させて供給することで、毛髪の損傷を抑制するとともに、使用者が所望する形状に、容易に毛髪をセットすることができる。また、省エネルギー効果も期待できる。
【００３３】
第７の発明は、特に第５の発明の制御部は、前記ヘアアイロンの運転が開始された際に、最初に前記第２の検知部により検知された毛髪の曲がり度合いに応じて、前記過熱蒸気生成部で生成される過熱蒸気の温度を所定の温度に設定するように制御している。
【００３４】
これにより、毛髪のセットの経過状態に左右されることなく、使用者の毛髪が、元々有している個別の曲がり度合い、即ちセット前の毛髪の曲がり度合いに応じて、適切な温度の過熱蒸気を供給することで、セット中は常時確実に、使用者が所望する形状に、極めて容易に毛髪をセットすることができる。
【００３５】
以下、本発明の実施の形態について、図面を参照しながら説明する。なお、この実施の形態によって本発明が限定されるものではない。
【００３６】
（実施の形態１）
図１および図２に示すように、それぞれ長手方向を有するとともに、短手方向の断面が半円状に形成された第１の挟持部１と第２の挟持部２とを備えており、第１の挟持部１と第２の挟持部２とは、長手方向において対向するように（図２の上下方向）配置されている。
【００３７】
第１の挟持部１と第２の挟持部２とは、それぞれ長手方向の一端側に、使用者が把持可能な把持部３を有しており、把持部３に設けられたヒンジ部４により連結されて、互いに開閉自在に構成されている。
【００３８】
次に、第１の挟持部１と第２の挟持部２とが対向する側には、それぞれ第１の毛髪挟持面５と第２の毛髪挟持面６とが設けられており、第１の挟持部１と第２の挟持部２とが閉じられた際に、第１の毛髪挟持面５と第２の毛髪挟持面６とが互いに平行状態で接するとともに、使用者の毛髪を挟持するように構成されている。
【００３９】
第１の挟持部１内には、全体として箱型状に形成されて、供給された蒸気をさらに加熱して過熱蒸気を生成させる、金属等の熱伝導性を有する材料からなる過熱蒸気生成部１１が設けられている。
【００４０】
過熱蒸気生成部１１の第２の挟持部２と対向する側の面は、第１の毛髪挟持面５となっており、第１の毛髪挟持面５と反対側の面には、加熱部としてのヒータ９が設けられていて、ヒータ９により、供給された蒸気をさらに加熱して過熱蒸気を生成させるとともに、第１の毛髪挟持面５を加熱できるように構成されている。
【００４１】
一方、第２の挟持部２内には、全体として箱型状に形成され、金属等からなる熱伝導部材８が設けられており、熱伝導部材８の第１の挟持部１と対向する側の面は、第２の毛髪挟持面６となっており、第２の毛髪挟持面６と反対側には、加熱部としてのヒータ１０が設けられていて、ヒータ１０により、第２の毛髪挟持面６を加熱できるように構成されている。
【００４２】
ここで、熱伝導部材８は、内部が中空状に形成されていてよいが、全体が熱伝導性を有
する金属等のブロック体として構成されていてもよい。また、中空状に形成された内部に、外郭とは異なる熱伝導性と有する、例えば、熱伝導性ゲル等を充填したものであってもよい。
【００４３】
第１の挟持部１の先端には、液体貯留部１２が設けられており、液体貯留部１２内には、水や毛髪のトリートメント剤等を含んだ水等の液体が貯留されるとともに、貯留された液体を過熱蒸気生成部１１に供給している。
【００４４】
図３および図４に示すように、液体貯留部１２は、全体として四半球状に形成されて、液体を貯留する貯留タンク１５と、貯留タンク１５の基端側から延設されて、過熱蒸気生成部１１へ液体を供給するパイプ１６を有しており、パイプ１６は、その先端側が開口するとともに、液体貯留部１２を第１の挟持部１に取り付けた際に、パイプ１６が過熱蒸気生成部１１へ挿入されるように構成されている。
【００４５】
パイプ１６の内部にはフエルトなどからなる吸液部材１７が充填されており、吸液部材１７の一端側が貯留タンク１５内の液体と接するとともに、他端側がパイプ１６の開口部に配置されている。
【００４６】
図５に示すように、過熱蒸気生成部１１は、全体として箱型状に形成されて、過熱蒸気生成部１１の第２の挟持部２と対向する側の面（図５の下側の面）は、第１の毛髪挟持面５となっており、反対側の面（図５の上側の面）には、ヒータ９が設けられている。
【００４７】
過熱蒸気生成部１１の液体貯留部１２側（図５の左側）には、パイプ１６が挿入されて液体貯留部１２から液体が供給される供給口２２が設けられている。供給口２２の底部および両側部には断熱材が配置されるとともに、供給口２２の上部（図５の上側）を塞ぐようにヒータ２１が設けられている。
【００４８】
パイプ１６の先端は、上部（図３の上側）に切欠きが形成されて、その部分は吸液部材１７が露出しており、パイプ１６を供給口２２に挿入した際に、吸液部材１７がヒータ２１と接することにより、液体貯留部１２から供給された液体が加熱されて、蒸気が生成されている。即ち、ヒータ２１と供給口２２により蒸気生成部１８が構成されている。
【００４９】
また、上記断熱材により、ヒータ９により過熱蒸気生成部１１が加熱された際に、ヒータ９の熱が供給口２２を介してパイプ１６や吸液部材１７に伝熱することを防止している。断熱材は高温に耐えうるウレタンやエポキシなどの樹脂材料等からなることが望ましい。
【００５０】
図６から８に示すように、過熱蒸気生成部１１内は、中空状に形成されるとももに、複数の部屋に区画されている。複数の部屋のうち、供給口２２側の部屋は、複数箇所（本実施の形態では二箇所）の折れ曲がりを有する、全体として一つの蒸気流路２０として構成されている。
【００５１】
そして、供給口から過熱蒸気生成部１１内に導入された蒸気は、蒸気流路２０を流れる間にヒータ９によりさらに加熱されて過熱蒸気となり、生成された過熱蒸気は、蒸気流路２０の下流側であって、第１の毛髪挟持面５に設けられた複数の放出口１９より、外部に放出される。
【００５２】
また、第１の毛髪挟持面５の把持部３側には、使用者の毛髪の太さを検知する第１の検知部としての、接写可能な小型のカメラ１４が設けられており、カメラ１４により、第１の毛髪挟持面５と第２の毛髪挟持面６との間に挟持された毛髪を撮影することで、毛髪の
太さを検知できるようにしている。
【００５３】
第１の挟持部１側の把持部３内には、制御部１３が設けられており、制御部１３により、ヒータ９、１０、および２１に電力が供給されるとともに、ヒータ９、１０、および２１の出力、即ち発熱温度が制御されている。
【００５４】
また、カメラ１４も制御部１３に接続されていて、カメラ１４で検知された毛髪の太さが、制御部１３で解析され、その結果によりヒータ９、１０、および２１が制御されることで、ヒータ９、１０による毛髪の加熱温度、ヒータ２１による蒸気生成部１８における蒸気生成量、およびヒータ９による過熱蒸気生成部１１における過熱蒸気生成量が制御されることになる。
【００５５】
さらに、把持部３の端部には、電源コード２４が接続されており、商用電源等から供給された電力を、制御部１３に供給するようにしている。また、第１の挟持部１側の把持部３には、電源スイッチ２３が設けられており、制御部１３への電力供給を入り切り可能としている。
【００５６】
以上のように構成されたヘアアイロンについて、以下その動作、作用を説明する。
【００５７】
液体貯留部１２の貯留タンク１５に液体を入れて、液体貯留部１２のパイプ１６を過熱蒸気生成部１１の供給口２２に挿入することで、液体貯留部１２を第１の挟持部１に取り付けた後に電源スイッチ２３を入れると、制御部１３は、カメラ１４を起動させる。
【００５８】
使用者が把持部３を把持して、第１の挟持部１と第２の挟持部２との間に毛髪を挟んだ状態で閉じると、第１の毛髪挟持面５と第２の毛髪挟持面６との間に毛髪が挟持された状態となり、カメラ１４により、毛髪の太さが検知される。
【００５９】
次に、制御部１３は、カメラ１４により検出された毛髪の太さに応じて、蒸気生成部１８のヒータ２１が所定の温度になるように、ヒータ２１に電力を供給するとともに、ヒータ２１の温度を所定の温度に制御している。
【００６０】
合わせて、制御部１３は、ヒータ９およびヒータ１０にも電力を供給するとともに、ヒータ９、１０の温度を所定の温度に制御している。このとき、ヒータ９、１０で発生した熱が、それぞれ第１の毛髪挟持面５と第２の毛髪挟持面６とに伝熱し、挟持された毛髪が加熱される。
【００６１】
このとき、パイプ１６内に設けられている吸液部材１７の毛細管現象により、貯留タンク１５から供給口２２に液体が供給され、ヒータ２１によって加熱されることにより、蒸気が生成される。この蒸気の温度は、外気圧の影響を受けるものの、概ね１００℃以下となっている。
【００６２】
生成された蒸気は、供給口２２より、過熱蒸気生成部１１内の蒸気流路２０に導入され、蒸気流路２０を流れるが、このとき、蒸気はヒータ９によってさらに加熱されることで、温度が１００℃を超えた過熱蒸気となり、蒸気流路２０の下流側であって、第１の毛髪挟持面５に設けられた複数の放出口１９より、放出口１９の外部、即ち第１の毛髪挟持面５上に放出される。
【００６３】
そして、放出された過熱蒸気は、第１の毛髪挟持面５と第２の毛髪挟持面６との間に挟持された毛髪に供給される。このとき、過熱蒸気は温度が１００℃を超えた気体であり、このため、熱エネルギー量が蒸気と比較し大きいことから、過熱蒸気の熱が毛髪全体に行
き渡るとともに、毛髪の水素結合を確実に切断することが可能となるため、使用者の毛髪の状態にかかわらず、使用者が所望する形状（本実施の形態ではストレート形状やカール形状）に毛髪をセットすることができる。
【００６４】
また、カメラ１４は、毛髪が第１の毛髪挟持面５と第２の毛髪挟持面６との間に最初に挟持された際に毛髪を撮影することで、毛髪の太さを検知している。そして、制御部１３は、カメラ１４により検知された毛髪の太さの平均値を、画像解析によって算出し、ヒータ２１の温度を所定の温度に制御している。
【００６５】
例えば、毛髪の太さが６５μｍ未満の場合は、発生する過熱蒸気の生成量が０．２ｍＬ／分になるように、過熱蒸気生成部１１に供給される蒸気を生成する蒸気生成部１８のヒータ２１の温度を、例えば、１００℃以上１１０℃未満程度になるように制御する。
【００６６】
一方、毛髪の太さが６５μｍ以上の場合は、過熱蒸気の生成量が０．５ｍＬ／分になるように、過熱蒸気生成部１１に供給される蒸気を生成する蒸気生成部１８のヒータ２１の温度を、例えば、１１０℃以上１２０℃未満程度となるように調節するのが望ましい。
【００６７】
このように、蒸気生成部１８のヒータ２１の温度を制御して、過熱蒸気生成部１１に供給される蒸気の生成量を制御することで、過熱蒸気生成部１１で生成される過熱蒸気の生成量を制御するようにしている。
【００６８】
また、過熱蒸気の生成量は、蒸気の生成量以外にも、生成された蒸気に与える熱量によって決定されるので、目的とする過熱蒸気の生成量となるように、ヒータ９の温度や面積を決定することが好ましい。
【００６９】
例えば、ヒータ９の温度は、毛髪の太さが６５μｍ以下の場合は、１８０℃以上２３０℃以下となるように制御するのが望ましく、毛髪の太さが６５μｍ以上の場合は、１３０℃以上１８０℃未満となるように制御するのが望ましい。
【００７０】
上記により、熱に強い細い毛髪に対しては、高い温度の過熱蒸気を供給し、熱に弱い太い毛髪に対しては、低い温度の過熱蒸気を供給することで、毛髪の太さにかかわらず、毛髪を傷めることなく、毛髪のセットを行うことができる。
【００７１】
また、上記の制御によって、毛髪に過剰な過熱蒸気が供給されることを防ぐことができる。即ち、毛髪のセットが完了した後に、第１の毛髪挟持面５と第２の毛髪挟持面６との間から毛髪が送出された際に、毛髪に多量の過熱蒸気が残留していると、過熱蒸気が外部の空気により冷却されることで、凝集されて液体に変化し、セット後の毛髪の水素結合を再度切断してしまうため、毛髪のセット力が低下してしまう。
【００７２】
よって、制御部１３が上記の制御を行うことで、適切な量の過熱蒸気を毛髪に供給して、毛髪のセット力を長時間維持することができる。
【００７３】
以上のように、本実施の形態においては、使用者の毛髪の太さに応じて、過熱蒸気の温度と過熱蒸気の生成量とを最適に制御することにより、毛髪の太さにかかわらず、毛髪を傷めることなく、使用者の所望する形状に、容易に毛髪のセットを行うことができる。
【００７４】
また、適切な量の過熱蒸気を毛髪に供給することで、毛髪のセット力を長時間維持することができる。
【００７５】
なお、本実施の形態においては、蒸気生成部１８のヒータ２１の温度を制御することに
よって、過熱蒸気生成部１１に供給される蒸気の生成量を制御しているが、例えばポンプ等により、所定量の液体を蒸気生成部１８に供給するようにしてもよい。
【００７６】
また、過熱蒸気生成部１１は、第１の挟持部１内にのみ設けているが、例えば、第２の挟持部２内にも設けるようにしてもよい。この場合は、液体貯留部１２を、第２の挟持部２の先端にも設けることで、第２の挟持部２内に設けた過熱蒸気生成部１１の蒸気生成部１８に対して、同様に液体を供給することが可能となる。
【００７７】
また、過熱蒸気生成部１１は、第１の挟持部１内にのみ設ける場合は、第２の挟持部２内に、ヒータ１０を設けなくともよく、さらに、過熱蒸気生成部１１と、ヒータ９と、および液体貯留部１２とを第２の挟持部２側に設けるようにしてもよい。
【００７８】
（実施の形態２）
図９から図１１は、本発明の実施の形態２におけるヘアアイロンを示している。ここでは、上記実施の形態１と相違する事項についてのみ説明し、同様の構成や作用効果等を有するものについては上記実施の形態１の説明を援用する。
【００７９】
本発明の実施の形態２が上記実施の形態１と異なる部分は、図９から図１１に示すように、過熱蒸気生成部１１の蒸気生成部２５において、供給口３５が二つに分割されているところと、二つに分割された供給口３５の上部（図９の上側）を塞ぐように、それぞれヒータ３３とヒータ３４が設けられているところである。
【００８０】
また、二つに分割された供給口３５に対応して、液体貯留部１２に設けられているパイプ２８も先端側が二つに分割されており、二つに分割されたパイプ２８には、それぞれ吸液部材２９が充填されている。
【００８１】
さらに、過熱蒸気生成部１１には、二つに分割された供給口３５に対応する蒸気流路３１と蒸気流路３２とが形成されており、蒸気流路３１は、複数箇所（本実施の形態では二箇所）の折れ曲がりを有している。
【００８２】
一方、蒸気流路３２は、上記折れ曲がりを迂回するように形成されるとともに、放出口１９が設けられた下流側を蒸気流路３１と共用するようにしている。即ち、供給口３５から蒸気流路３１、３２の下流側までの距離は、蒸気流路３１の方が、蒸気流路３２よりも長くなるように構成されている。
【００８３】
また、カメラ１４は、第２の検知部としての毛髪の曲がり度合いを検知可能な機能を有している。
【００８４】
制御部１３は、カメラ１４により検知された毛髪の太さおよび毛髪の曲がり度合いを画像解析し、図１２に示すように、毛髪のカール半径３９の平均値として算出する。毛髪のカール半径３９の平均値は、毛髪の曲がり度合いに対して接するように真円を描いたときの半径より算出される。
【００８５】
そして、算出された毛髪のカール半径３９の平均値により、ヒータ９、１０、３３、および３４が制御されることで、ヒータ９、１０による毛髪の加熱温度、ヒータ３３、３４による蒸気生成部１８における蒸気生成量、およびヒータ９による過熱蒸気生成部１１における過熱蒸気生成量が制御されることになる。
【００８６】
上記差異をふまえて、本発明の実施の形態２におけるヘアアイロンについて、以下その動作、作用を説明する。
【００８７】
液体貯留部１２の貯留タンク１５に液体を入れて、液体貯留部１２の先端側が二つに分割されたパイプ２８を、過熱蒸気生成部１１の同様に二つに分割された供給口３５に挿入することで、液体貯留部１２を第１の挟持部１に取り付けた後に電源スイッチ２３を入れると、制御部１３は、カメラ１４を起動させる。
【００８８】
使用者が把持部３を把持して、第１の挟持部１と第２の挟持部２との間に毛髪を挟んだ状態で閉じると、第１の毛髪挟持面５と第２の毛髪挟持面６との間に毛髪が挟持された状態となり、カメラ１４により、毛髪の曲がり度合いが検知される。このとき、カメラ１４は、毛髪を最初に挟持した際に撮影を行い、そのときの毛髪の曲がり度合いを検知する。
【００８９】
次に、図１２に示すように、制御部１３は、カメラ１４により検出された毛髪の曲がり度合いを画像解析することで、毛髪のカール半径３９の平均値として算出し、算出されたカール半径３９に応じて、蒸気生成部２５のヒータ３３または３４が所定の温度になるように、ヒータ３３または３４に電力を供給するとともに、ヒータ３３または３４の温度を所定の温度に制御している。
【００９０】
ここで、例えば、毛髪のカール半径３９の平均値が２ｃｍ未満の場合は、制御部１３は、ヒータ３３に電力を供給し、毛髪のカール半径３９の平均値が２ｃｍ以上の場合は第２のヒータ３４に電気を供給する。
【００９１】
合わせて、制御部１３は、ヒータ９およびヒータ１０にも電力を供給するとともに、ヒータ９、１０の温度を所定の温度に制御している。このとき、ヒータ９、１０で発生した熱が、それぞれ第１の毛髪挟持面５と第２の毛髪挟持面６とに伝熱し、挟持された毛髪が加熱される。
【００９２】
このとき、パイプ２８内に設けられている吸液部材２９の毛細管現象により、貯留タンク１５から供給口３５に液体が供給され、ヒータ３３または３４によって加熱されることにより、蒸気生成部２５において蒸気が生成される。この蒸気の温度は、外気圧の影響を受けるものの、概ね１００℃以下となっている。
【００９３】
生成された蒸気は、供給口３５より、過熱蒸気生成部１１内の蒸気流路３１または３２に導入され、蒸気流路３１または３２を流れるが、このとき、蒸気はヒータ９によってさらに加熱されることで、温度が１００℃を超えた過熱蒸気となり、蒸気流路３１または３２の下流側であって、第１の毛髪挟持面５に設けられた複数の放出口１９より、放出口１９の外部、即ち第１の毛髪挟持面５上に放出される。
【００９４】
ここで、制御部１３により算出された毛髪のカール半径３９の平均値が２ｃｍ未満の場合は、制御部１３は、ヒータ３３に電力を供給することで、蒸気は供給口３５のヒータ３３側でのみ生成され、生成された蒸気は、蒸気流路３１に導入される。
【００９５】
一方、制御部１３により算出された毛髪のカール半径３９の平均値が２ｃｍ以上の場合は、制御部１３は、ヒータ３４に電力を供給することで、蒸気は供給口３５のヒータ３４側でのみ生成され、生成された蒸気は、蒸気流路３２に導入される。
【００９６】
上述したように、供給口３５から蒸気流路３１、３２の下流側までの距離は、蒸気流路３１の方が、蒸気流路３２よりも長くなるように構成されているため、蒸気は、蒸気流路３１を流れたときの方が、蒸気流路３２を流れたときよりも、生成される過熱蒸気の温度が高くなる。
【００９７】
よって、制御部１３により算出された毛髪のカール半径３９の平均値が小さい場合の方が、毛髪に供給される過熱蒸気の温度を高くすることができ、毛髪のカール半径３９の平均値が小さい、即ち、毛髪の曲がり度合いが強い場合に、よりより高いエネルギーを持った過熱蒸気を毛髪に供給することができる。
【００９８】
このため、過熱蒸気を毛髪の内部まで十分に浸透させることができることから、より確実に毛髪の水素結合を切断して、使用者が所望する毛髪の形状に容易にセットすることができる。
【００９９】
ここで、過熱蒸気の温度としては、毛髪のカール半径３９の平均値が２ｃｍ未満の場合は、ヒータ３３の温度と同等ないし１０℃程度までの範囲で低い温度であることが望ましく、毛髪のカール半径３９の平均値が２ｃｍ以上の場合は、ヒータ３４の温度より、１０℃程度以上低い温度であることが望ましい。
【０１００】
そして、放出された過熱蒸気は、第１の毛髪挟持面５と第２の毛髪挟持面６との間に挟持された毛髪に供給される。このとき、過熱蒸気は、いずれの場合も温度が１００℃を超えた気体であり、このため、熱エネルギー量が蒸気と比較し大きいことから、過熱蒸気の熱が毛髪全体に行き渡るとともに、毛髪の水素結合を確実に切断することが可能となるため、使用者の毛髪の状態にかかわらず、使用者が所望する形状（本実施の形態ではストレート形状やカール形状）に毛髪をセットすることができる。
【０１０１】
以上のように、本実施の形態においては、使用者の毛髪の曲がり度合いに応じて、過熱蒸気の温度を最適に制御することで、毛髪の曲がり度合いにかかわらず、毛髪を傷めることなく、使用者の所望する形状に、容易に毛髪のセットを行うことができる。また、省エネルギー効果も期待できる。
【０１０２】
なお、カメラ１４は、最初に第１の毛髪挟持面５と第２の毛髪挟持面６との間に毛髪が挟持されたときのみ撮影を行い、制御部１３は、このときに検知された毛髪の曲がり度合いから、毛髪のカール半径３９の平均値を算出するようにすることが好ましい。
【０１０３】
この場合は、毛髪のセットを繰り返し行うことで、毛髪の曲がり度合いが変化してきても、過熱蒸気の温度は変化しないために、セットする毛髪が持つ、本来の曲がり度合いに対して、常時最適な温度の過熱蒸気を供給することができる。
【０１０４】
また、図１３に示すように、過熱蒸気生成部１１において、供給口３５を離間して設けるとともに、流路の長さが長い蒸気流路３６と、流路の長さが短い蒸気流路３７とで、流れる蒸気の向きとが異なるようにしてもよい。
【０１０５】
ただし、蒸気流路３６の下流側と、蒸気流路３７の下流側とは、本実施の形態と同様に共用されている。
【０１０６】
この場合は、流路の折れ曲がり箇所について、蒸気流路３６の方が蒸気流路３７よりも多く構成することで、両者の流路の長さを異なるものとすることが可能となり、流路の区画の構成を複雑化することなく、過熱蒸気生成部１１を容易に形成できるとともに、製造コストを低減することができる。
【０１０７】
さらに、本実施の形態では、過熱蒸気の温度制御を、毛髪の曲がり度合いによるものとしたが、例えば毛髪の曲がり度合いおよび毛髪の太さにより、過熱蒸気の温度と生成量とを制御するようにしてもよい。
【０１０８】
この場合は、カメラ１４は、毛髪の曲がり度合いおよび毛髪の太さを検知可能な機能を有しており、制御部１３は、カメラ１４により検知された毛髪の曲がり度合いおよび毛髪の太さに応じて、ヒータ９、１０、３３、および３４を制御することで、表１に示すように、過熱蒸気の温度または生成量を制御するようにしている。
【０１０９】
【表１】
2014097214.tif 000003
【０１１０】
表１に示すように、毛髪の太さが６５μｍ未満、および毛髪の曲がり度合いのカール半径３９の平均値が２ｃｍ未満の場合は、制御部１３は、過熱蒸気の温度を、ヒータ３３の温度と同等ないし１０℃程度までの範囲で低い温度となるように制御するとともに、過熱蒸気の生成量が、０．２ｍｌ／分となるように制御する。また、ヒータ９およびヒータ１０の温度が、１８０℃以上２３０℃以下となるように制御する。
【０１１１】
一方、毛髪の太さが６５μｍ以上、および毛髪の曲がり度合いのカール半径３９の平均値が２ｃｍ未満の場合は、制御部１３は、過熱蒸気の温度を、ヒータ３４の温度より、１０℃程度以上低い温度となるように制御するともに、過熱蒸気の生成量が０．５ｍｌ／分となるように制御する。また、ヒータ９およびヒータ１０の温度が、１３０℃以上１８０℃未満となるように制御する。
【０１１２】
また、毛髪の太さが６５μｍ未満、および毛髪の曲がり度合いのカール半径３９の平均値が２ｃｍ以上の場合は、制御部１３は、過熱蒸気の温度を、ヒータ３４の温度より、３０℃程度以上低い温度となるように制御するともに、過熱蒸気の生成量が、０．２ｍｌ／分となるように制御する。また、ヒータ９およびヒータ１０の温度が、１８０℃以上２３０℃以下となるように制御する。
【０１１３】
一方、毛髪の太さが６５μｍ以上、および毛髪の曲がり度合いのカール半径３９の平均値が２ｃｍ以上の場合は、制御部１３は、過熱蒸気の温度を、ヒータ３４の温度より、３０℃程度以上低い温度となるように制御するともに、過熱蒸気の発生量が、０．５ｍｌ／分となるように制御する。また、ヒータ９およびヒータ１０の温度が１３０℃以上１８０℃未満となるように制御する。
【０１１４】
よって、使用者の毛髪の曲がり度合いおよび毛髪の太さに応じて、過熱蒸気の温度および生成量を最適に制御することで、毛髪の曲がり度合いや毛髪の太さにかかわらず、毛髪を傷めることなく、より使用者の所望する形状に、極めて容易に毛髪のセットを行うとともに、セット後の毛髪の形状を長時間維持することができる。
【産業上の利用可能性】
【０１１５】
以上のように、本発明にかかるヘアアイロンは、使用者の毛髪の状態に応じて、使用者の所望する形状に毛髪のセットを行うことができるため、例えば、羊毛等の獣毛や化学繊維等の加工装置等の用途にも適用できる。
【符号の説明】
【０１１６】
１  第１の挟持部
２  第２の挟持部
３  把持部
４  ヒンジ部
５  第１の毛髪挟持面
６  第２の毛髪挟持面
８  熱伝導部材
９、１０、２１、３３、３４  ヒータ
１１  過熱蒸気生成部
１２  液体貯留部
１３  制御部
１４  カメラ
１５  貯留タンク
１６、２８  パイプ
１７、２９  吸液部材
１８、２５  蒸気生成部
１９  放出口
２０、３１、３２、３６、３７  蒸気流路
２２、３５  供給口
２３  電源スイッチ
２４  電源コード
３９  カール半径
【図１】
2014097214.tif 000004
【図２】
2014097214.tif 000005
【図３】
2014097214.tif 000006
【図４】
2014097214.tif 000007
【図５】
2014097214.tif 000008
【図６】
2014097214.tif 000009
【図７】
2014097214.tif 000010
【図８】
2014097214.tif 000011
【図９】
2014097214.tif 000012
【図１０】
2014097214.tif 000013
【図１１】
2014097214.tif 000014
【図１２】
2014097214.tif 000015
【図１３】
2014097214.tif 000016